(57)【要約】    【課題】  ポンプ内の樹脂製部品が水や湯などの悪影響を受けることなく、部品の劣化を防止して故障発生を防ぐ長寿命なポンプを提供する。    【解決手段】  固定子１０の内周にマグネット２３と羽根車２１とを備えた回転子２０が回転自在に配されモータを構成し、前記回転子１０が吸水口２と吐出口３とを結ぶ液体の流路３７を有するケーシング３１，３２内に収納されたポンプ１が、前記ポンプ１内部における樹脂製部品の少なくとも液体との接触面が化学安定性に優れるコーティング剤により表面コーティングされている。    【選択図】  図１
2006200480.tif 000002
【特許請求の範囲】
【請求項１】
固定子の内周にマグネットと羽根車とを備えた回転子が回転自在に配されモータを構成し、前記回転子が吸水口と吐出口とを結ぶ液体の流路を有するケーシング内に収納されたポンプにおいて、
前記ポンプ内部における樹脂製部品の少なくとも液体との接触面が化学安定性に優れるコーティング剤により表面コーティングされている
ことを特徴とするポンプ。
【請求項２】
前記樹脂製部品が前記ケーシング、前記羽根車、前記マグネットの中の少なくとも１つであることを特徴とする請求項１に記載のポンプ。
【請求項３】
前記コーティング剤がフッ素系樹脂であることを特徴とする請求項１又は２に記載のポンプ。
【発明の詳細な説明】
【技術分野】
【０００１】
本発明は、食器洗い機や循環式給湯器等に用いられ、水、湯などの液体を供給、循環させるポンプに関する。
【背景技術】
【０００２】
従来より、食器洗い機には、食器の洗浄モードに合わせて洗浄水を供給したり排水するのに用いられるポンプが使用されている（例えば、特許文献１）。
【０００３】
一般的にポンプは、固定子の内周に沿ってマグネットと羽根車とを備えた回転子が回転自在に配されモータを構成し、吸水口と吐出口とを結ぶ液体の流路を形成したケーシング内に回転子が収納され、固定子に通電することで回転子を回転させ吸水口から吸入した液体を吐出口から吐出し液体を供給、循環させるようになっている。
【０００４】
このようなポンプでは、ポンプの構成部品として、例えばケーシングや羽根車などにナイロンやポリプロピレンなどの成形品からなる樹脂製部品が、またマグネットには樹脂を含んだプラスチックマグネットが使用されるようになっている。
【特許文献１】特開２００３−１４８３９６号公報
【発明の開示】
【発明が解決しようとする課題】
【０００５】
しかし、上記ポンプ内の樹脂製部品は、ポンプ内部のポンプ室や吸水口から吐出口に至る流路において水や湯と接触し樹脂材料が加水分解により劣化し、特に洗剤などを含む酸性やアルカリ性或いはアルコール系などの液体ではその劣化が促進され、樹脂製部品の損傷によりポンプに故障を生じたり長寿命化の妨げとなる問題がある。
【０００６】
これらの樹脂製部品をステンレス化することや、ポリフェニレンオキサイド（ＰＰＯ）やポリスルフォン（ＰＰＳ）などの耐水性樹脂に置き換えることも考えられるが、コストや用途、性能面からその採用は困難である。
【０００７】
本発明は、上記の問題点を解決するものであり、ポンプ内の樹脂製部品が水や湯などの悪影響を受けることなく、部品の劣化を防止して故障発生を防ぐとともに長寿命化を図ることのできるポンプを提供することを目的とするものである。
【課題を解決するための手段】
【０００８】
請求項１に記載の発明は、固定子の内周にマグネットと羽根車とを備えた回転子が回転自在に配されモータを構成し、前記回転子が吸水口と吐出口とを結ぶ液体の流路を有するケーシング内に収納されたポンプにおいて、前記ポンプ内部における樹脂製部品の少なくとも液体との接触面が化学安定性に優れるコーティング剤により表面コーティングされていることを特徴とするポンプである。
【０００９】
請求項２に記載の発明は、前記樹脂製部品が前記ケーシング、前記羽根車、前記マグネットの中の少なくとも１つであることを特徴とする請求項１に記載のポンプである。
【００１０】
請求項３に記載の発明は、前記コーティング剤がフッ素系樹脂であることを特徴とする請求項１又は２に記載のポンプである。
【発明の効果】
【００１１】
請求項１の発明によれば、樹脂製部品の少なくとも液体との接触面が耐水性や耐薬品性に優れる化学的に安定なコーティング剤により表面コーティングされることで、樹脂製部品の水や湯、或いは洗剤などを含む液体に対する抵抗性を向上し、部品表面からの加水分解による部品の劣化、損傷を防止してポンプの故障発生や寿命の低下を防ぐことができる。また、水中使用に適さない樹脂であっても、この表面コーティングを施すことで水中使用が可能となり、部品のコストダウンや用途を広げることができる。
【００１２】
請求項２の発明によれば、樹脂製部品の内でポンプの主要部品であるケーシングや羽根車、プラスチックマグネットに表面コーティングを施すことで、ポンプの正常な動作を確保してポンプの信頼性をより向上することができる。
【００１３】
請求項３の発明によれば、耐水性、耐薬品性などの化学安定性に優れるフッ素系樹脂により表面コーティングを施すことで、樹脂製部品の劣化、損傷の防止を確実にすることができる。
【発明を実施するための最良の形態】
【００１４】
本発明の実施形態について、図１に示すポンプ１の縦断面図に基づいて説明する。
【００１５】
ポンプ１は、固定子１０の内周に沿うマグネット２３と羽根車２１とを備えた回転子２０が回転自在に配されてモータを構成し、回転子２０が吸水口２と吐出口３を有するケーシング３１，３２内に収納されポンプ１を形成している。
【００１６】
固定子１０は、リング状に積層された鉄心１１とそれに巻回された巻線１２とが、モータ駆動用の回路基板１３を備えてモールド樹脂１４によりモールド成形され、上側ケーシング３２の外周に沿って配されている。
【００１７】
回転子２０は、羽根２２を一体化した羽根車２１の周囲にプラスチックマグネット２３を前記の固定子１０に対向させて配し、ポンプ１の中心軸にワッシャー２６とスラストワッシャー２５を備えて上下のケーシング３１，３２に軸支されたスピンドル２７にベアリングメタル２４を介して回転自在に配され、これによりポンプ１はブラシレス直流モータを構成し、固定子１０に通電することで回転子２０を回転させ吸水口２から吸入した液体を吐出口３から吐出するようになっている。
【００１８】
下側ケーシング３１は底面部に下向きの吸水口２を有し、上側ケーシング３２は上向きの吐出口３を有し、上下のケーシング３１，３２がパッキン３３を挟んで密閉され、ネジ３４，３５で締結されてケーシング内部にポンプ室３６を形成するとともに、吸水口２から吸入した液体を吐出口３に流す流路３７を形成している。
【００１９】
ポンプ１では、ケーシング３１，３２と羽根２２を含む羽根車２１がポリプロピレンやポリスチレンなどの樹脂成形品から、またマグネット２３はナイロンフィラメントを含有するプラスチックマグネットからなる樹脂製部品で構成されている。
【００２０】
そして、ポンプ１のケーシング３１，３２は、その内面側３１ａ，３２ａ、すなわちポンプ室３６や流路３７を含む液体との接触面がポリ４フッ化エチレンによりコーティング加工されている。
【００２１】
さらに、羽根車２１の外周面２１ａや羽根２２部分の内周面２２ａ、また、マグネット２３の外周面２３ａもポリ４フッ化エチレンによりコーティング加工されている。
【００２２】
このように、樹脂製部品の液体接触面に化学的に安定で耐水性や耐薬品性に優れるポリ４フッ化エチレンなどのコーティング剤で表面コーティングすることにより、水や湯或いは洗剤を含む洗浄液による部品表面からの加水分解を防止することができ、部品の劣化や損傷を防止してポンプ１の故障発生を防ぎ、またポンプ１の長寿命化を図ることができ信頼性の高いポンプを提供するものとなる。
【００２３】
この表面コーティングに用いられるコーティング剤は、耐水性や耐薬品性などの化学的安定性に優れるものであれば特に限定されることはないが、中でも上記ポリ４フッ化エチレンやポリフッ化エチレンプロピレン、フッ化ビニル、フッ化ビニリデン、ジクロルジフルオルエチレンなどのフッ素系樹脂が吸水性がなく化学的安定性に優れ、またコーティング加工性、コストなどの点で好ましい。
【００２４】
さらに、従来は水中使用に適さずポンプの内部部品として使用できなかった樹脂性部品も、この表面コーティング加工を施すことで水中使用が可能となり、部品のコストダウンや樹脂部品の用途を拡大することができる。
【産業上の利用可能性】
【００２５】
本発明のポンプは、食器洗い機、自動洗濯機、風呂用給湯装置などの水、湯などの液体供給や循環用ポンプとして好適に使用することができる。
【図面の簡単な説明】
【００２６】
【図１】実施形態のポンプの縦断面図である。
【符号の説明】
【００２７】
１……ポンプ
２……吸水口
３……吐出口
１０……固定子
２０……回転子
２１……羽根車
２３……マグネット
３１，３２……ケーシング
３７……流路
【図１】
2006200480.tif 000003